(57)【特許請求の範囲】
【請求項１】
寝台の天板上に載置した被検体を医用画像診断装置内に移送する診断装置用寝台において、
前記天板を支持し少なくとも前記寝台の長手方向の両端に設けた脚柱と、
前記脚柱に固定されて、前記被検体による前記天板の負荷変形時においてのみ、床面に接触可能に設けられた少なくとも左右１対の補助ローラと、
該補助ローラよりも前記寝台長手方向内側の前記脚柱に設けられ、前記寝台を支持する少なくとも左右１対の主ローラとを有することを特徴とする診断装置用寝台。
【請求項２】
前記補助ローラが前記床面に接触した場合、前記脚柱を介して、前記寝台の長手方向の略両端にモーメントが発生し、
前記モーメントは、前記被検体による前記天板の変形を打ち消す方向に作用することを特徴とする請求項１記載の診断装置用寝台。
【発明の詳細な説明】
【０００１】
【発明の属する技術分野】
本発明は、医用画像診断装置の寝台に係り、特に、剛性の維持と軽量化を図り寝台周辺における診療に好適な寝台の構造に関する。
【０００２】
【従来の技術】
従来の医用画像診断装置の寝台は、医用画像診断装置に付属しており、寝台の本体を床に固定して設置し、被検者を載置する天板部分のみを医用画像を取得するための撮影可能領域へ移動する構造のものであった。このような構造を採用する寝台では、被検体の寝台天板上への載置に伴う寝台の荷重変形を防止するために、天板を含む寝台全体を剛性の高い部材で構成すると共に、寝台本体部を床上に据付けて強固に固定し、荷重変形の少ない診断装置用寝台を構成している。
【０００３】
【発明が解決しようとする課題】
診断装置用寝台としては、移動が簡単で操作性がよく、軽量で低原価のものが要望されているが、剛性の高い部材を使用することにより、必然的に重量が増大したり、製造費用も増加することになる。また、床面に据付けて強固に固定すると共に診断装置用寝台を移動すること、及び、被検体の診断のために、医用画像診断装置の所定位置への移動を満足するには煩雑な移動機構が必要であった。
【０００４】
さらに、被検体を載置した天板を、診断装置の撮影可能領域へ移動しても、診断装置近傍に据付けた寝台の本体部は移動しないから、診断装置周辺が狭く、診察を行なう者にとって移動行為の妨げとなる。
【０００５】
そこで、移動手段を簡易化するために、床上への据付けを行なわず、支持手段としてローラを備えた診断装置用寝台があり、これにより、寝台自体の移送と被検体を所定の撮影可能領域位置に移動する手段を兼用して、診断装置周辺の空間を広く確保することができる。しかし、その反面、床上への据付けを行なわないため、寝台の剛性が低下し、天板に被検体を載置した時の荷重による天板の変形が増大するおそれがあった。
【０００６】
このため、診断装置用寝台の天板に被検体を載置した時の荷重による天板の変形を抑制するために、寝台の天板の構成部材に剛性の高いものを採用する必要が生じていたが、剛性の高い部材の利用は上記の通り、重量と製造費用の点で問題があった。本発明は、重量が軽く、移動が簡単で操作性が優れ、寝台の天板を診断装置の撮影可能領域に容易に移動することのできる診断装置用寝台を提供することを目的とするものである。
【０００７】
【課題を解決するための手段】
上記の課題は、天板を支持し少なくとも寝台の長手方向の両端に設けた脚柱と、前記脚柱に固定されて、前記被検体による前記天板の負荷変形時においてのみ、床面に接触可能に設けられた少なくとも左右１対の補助ローラと、該補助ローラよりも前記寝台長手方向内側の前記脚柱に設けられ、前記寝台を支持する少なくとも左右１対の主ローラとを有する構成を備えることによって達成できる。
【０００８】
診断装置用寝台の支持用にローラを備えることにより、診断装置用寝台を移動する手段と、被検体を所望位置に移動する手段を共用し、診断装置用寝台の機構を簡易化し、診断装置用寝台の搬送と据付け時の作業と費用を軽減することができる。上記構成の主ローラと補助ローラにより、天板に被検体を載置した時の荷重を負荷した状態における天板の変形を打ち消すモーメントを天板と脚柱との接続部に発生させることができる。すなわち、常時床面に接触している主ローラよりも、寝台の長手方向外側にある補助ローラが床面に接触することにより、天板と脚柱の接続部にモーメントが発生し、天板に被検体を載置した時の荷重を負荷した状態における天板の変形歪を緩和吸収することができ、診断装置用寝台の支持手段にローラを有する診断装置用寝台の構成部材に必要とされる剛性を低く抑えることができる。
【０００９】
すなわち、剛性の低い部材で構成した寝台の天板においても、天板に被検体を載置した時の荷重による診断装置用寝台の天板の変形量を低減し、軽量で低原価の診断装置用寝台を構成することができる。また、金属のような剛性の高い部材の使用を削減しても十分に診断装置用寝台の天板の変形量を抑えることができる。しかしこの場合、例えば、天板はＦＲＰ材（ガラス繊維で補強したプラスチック材）を使用することは可能であるが、前記のようなモーメントを発生させるために少なくとも脚柱の構成部分は、天板よりも高い剛性を有する材料を使用する必要がある。
【００１０】
【発明の実施の形態】
以下、本発明の一実施の形態を図１、図２により説明する。この実施の形態の診断装置用寝台は、天板にＦＲＰ材を用いて軽量化を図り、脚柱部に剛性の高い金属材を使用したものである。図１は、本発明に係る診断装置用寝台の一実施の形態を示す斜視図であって、本発明の最も一般的なローラの配置による実施の形態である。図１において、ＦＲＰ材で構成した天板１と、天板１を支持する４本の脚柱２（各ローラの支持部分を含む）を、天板１よりも剛性の高い材料で構成しており、寝台の長手両端部に左右２個づつ４個の主ローラ３が脚柱２に固定され、４個の主ローラ３の外側に左右２個づつ４個の補助ローラ４が脚柱２に固定されている。主ローラ３は、床面に常時接触しており、一方、補助ローラ４は、荷重が無負荷の状態には、床面から浮いた状態にあり、負荷状態においてのみ床面と接触するように構成されている。
【００１１】
図２は、荷重の負荷により変形した診断装置用寝台を示す模式図である。補助ローラ４による上記構成により、被検体を載置した時の荷重により天板１は変形し、補助ローラ４はギャップ５に相当する分量だけ矢印Ｚ方向に移動し床面６と接触する。
【００１２】
補助ローラ４が接触すると脚柱２の全体移動が拘束されるから、天板１と脚柱２の接続部分に矢印の方向のモーメントＭが発生し、天板１に被検体を載置した時の荷重による天板の変形を打ち消す方向に作用する。このように、本実施の形態の診断装置用寝台は、天板１をＦＲＰ材で構成するため、天板に被検体を載置した時の荷重が負荷されると大きく変形し易いが、上記主ローラ４と補助ローラ３の支持構成と上記の作用効果により、天板１の変形を緩和し、変形量を最小限に抑制することができる。
【００１３】
図３は、図１、図２に示した実施の形態の診断装置用寝台を磁気共鳴イメージング装置の撮影位置に移動させる前の状態を示す斜視図、図４は、同じ実施の形態の診断装置用寝台を磁気共鳴イメージング装置内の撮影可能位置へ移動した状態を示す斜視図である。
図３に示すように、磁気共鳴イメージング装置８に対して、本実施の形態の寝台９に設けられた寝台空間１０が存在することにより、矢印Ｙ方向への寝台９の移送を妨げられることなく、寝台９を磁気共鳴イメージング装置８の撮影可能位置へ移動することができる。また寝台９の天板１をＦＲＰ材のみで構成しているため、磁性体金属の挿入が禁止されている磁気共鳴イメージング装置８内の撮影可能位置に寝台を移動しても、被検体の画像撮影に不都合を生ずることはない。このとき被検体の居住空間７は、寝台９の天板１の上面から磁気共鳴イメージング装置８の開口上面までの空間を占めるが、本実施の形態によって、寝台９の天板１の厚さを薄くすることができ被検体に対する居住性が向上する。
【００１４】
図５（ａ）〜（ｄ）は、複数個のローラの配置に関する本発明の種々の実施の形態を示す図である。補助ローラ４は最小限２個でも、被検体負荷時にモーメントＭの発生に支障はなく、天板１上に被検体を載置し寝台９の負荷状態においては、（ａ）または（ｄ）は、４個の主ローラ３が床面に接触しているので安定性が高いが、無負荷状態においては、（ｂ）または（ｃ）も、３個の主ローラ３が床面に接触しているので、移動時にも実質的に安定状態の保持が可能であり、負荷時には補助ローラ３も荷重負担に参加して安定状態を確保する。
【００１５】
【発明の効果】
本発明によれば、診断装置用寝台の軽量化と、構造の単純化が可能で、被検体の画像撮影領域への移動を容易に行なうことが可能となる。また、診断装置の機能上、剛性を高くする構造、または部材を採用できない条件下においても、天板に被検体を載置した時の荷重の負荷による寝台の天板の変形を極小化することができるため、剛性の低い部材を用いた診断装置用寝台を提供することができ、例えば、ＦＲＰ材のような非磁性材料を用いて天板、フレームなどを形成することにより、被検体の画像撮影時に、磁気共鳴イメージング装置の撮影領域へ寝台全体を移動することができ、このために被検体を転送する必要がなくなり、核磁気共鳴イメージング装置の周辺に、従来技術のように、診断装置用寝台の本体構成部分を残置することなく、診察行為者に対する広い診察作業空間を提供することができる。さらに、本発明の診断装置用寝台により搬送・据付け工数を削減できるので、製造原価の低減に極めて効果的である。
【図面の簡単な説明】
【図１】本発明に係る診断装置用寝台の実施の形態を示す斜視図である。
【図２】本発明に係る診断装置用寝台の荷重の負荷により変形した診断装置用寝台を示す模式図である。
【図３】本発明の実施の形態の診断装置用寝台を磁気共鳴イメージング装置に移動させる前の状態を示す斜視図である。
【図４】本発明の実施の形態の診断装置用寝台を磁気共鳴イメージング装置内の撮影可能位置へ移動した状態を示す斜視図である。
【図５】複数個のローラの配置に関する本発明の種々の実施の形態を示す図である。
【符号の説明】
１…天板
２…脚柱
３…主ローラ
４…補助ローラ
５…ギャップ
６…床面
７…居住空間
８…磁気共鳴イメージング装置
９…寝台
１０…寝台空間
【図１】
0004024903.tif 000002
【図２】
0004024903.tif 000003
【図３】
0004024903.tif 000004
【図４】
0004024903.tif 000005
【図５】
0004024903.tif 000006